(57)【要約】【課題】  剤供給装置において、体毛処理装置のヘッド部に粉末状の処理剤を確実に付着させることができるようにする。【解決手段】  体毛処理装置２のヘッド部３に液体として洗浄液Ｂを供給する洗浄部１２と、除毛の際に用いられる粉末状の処理剤Ａをヘッド部３に供給する剤供給部１３とを備え、洗浄液Ｂによって処理剤Ａをヘッド部３に付着させるようにした。【選択図】      図７
2007089694.tif 000002
【特許請求の範囲】
【請求項１】
体毛処理装置に設けられた除毛を行うヘッド部に液体を供給する液体供給部と、
除毛の際に用いられる粉末状の処理剤を前記ヘッド部に供給する剤供給部と、
を備え、
前記液体によって前記処理剤を前記ヘッド部に付着させる剤供給装置。
【請求項２】
前記液体供給部によって前記液体が前記ヘッド部に供給された後、前記剤供給部を駆動する制御手段を備える請求項１に記載の剤供給装置。
【請求項３】
前記処理剤と前記液体とからなる混合液を前記ヘッド部に供給する供給部を備え、この供給部が前記液体供給部及び前記剤供給部として機能する請求項１に記載の剤供給装置。
【請求項４】
前記供給部は、前記混合液を貯蔵する貯蔵部とこの貯蔵部内の前記混合液を攪拌する攪拌部とを有し、
前記攪拌部によって攪拌した前記混合液を前記ヘッド部に供給するように前記供給部を駆動する制御手段を備える請求項３に記載の剤供給装置。
【請求項５】
前記ヘッド部を乾燥させる乾燥部を備え、
前記液体供給部による前記ヘッド部への前記液体の供給と前記剤供給部による前記ヘッド部への前記処理剤の供給がされた後、前記乾燥部を駆動する制御手段を備える請求項１に記載の剤供給装置。
【請求項６】
前記剤供給部は、前記ヘッド部が有する外刃に設けられた凹凸部に前記処理剤を供給する請求項１に記載の剤供給装置。
【請求項７】
前記ヘッド部は、刃部と剤付着専用部とを有し、
前記剤供給部は、前記剤付着専用部に前記処理剤を供給する請求項１に記載の剤供給装置。
【請求項８】
前記ヘッド部を冷却する冷却部を備え、
前記液体供給部による前記ヘッド部への前記液体の供給と前記剤供給部による前記ヘッド部への前記処理剤の供給がされた後、前記冷却部を駆動する制御手段を備える請求項１に記載の剤供給装置。
【請求項９】
前記剤供給部が前記処理剤を供給する際に、前記ヘッド部が該体毛処理装置の下端部となるように前記体毛処理装置を支持する支持部を備える請求項１に記載の剤供給装置。
【請求項１０】
液体を貯蔵し、体毛処理装置に設けられた除毛を行うヘッド部が前記液体へ接触することを許容する液体貯蔵部と、
除毛の際に用いられる粉末状の処理剤を貯蔵し、前記ヘッド部が前記処理剤に接触することを許容する剤貯蔵部と、
を備える剤供給装置。
【発明の詳細な説明】
【技術分野】
【０００１】
本発明は、除毛処理として体毛を剃ったり引き抜いたりする体毛処理装置に処理剤を供給する剤供給装置に関する。
【背景技術】
【０００２】
従来、電気かみそりや脱毛装置などの体毛処理装置における除毛処理を行うヘッド部に、シェービングローションなどの液体の処理剤を供給する剤供給装置が提案されている（例えば、特許文献１参照）。これにより、除毛処理においてヘッド部から肌面に処理剤が塗布される。このようにして肌面に処理剤を塗布することで、肌面の滑り性が向上させたり体毛を軟化させたりして除毛処理の容易化を図っている。また、このようにして肌面に処理剤を塗布することで、かみそり負けなどの肌荒れ防止などの肌面のケアを施している。
【特許文献１】特開２００３−３３９４２５号公報
【発明の開示】
【発明が解決しようとする課題】
【０００３】
ところで、除毛処理において用いられる処理剤には、粉末状のものもある。しかしなら、この粉末状の処理剤をヘッド部に付着させるのは、処理剤が粉末状であるので、困難であるという問題がある。
【０００４】
本発明の目的は、剤供給装置において、体毛処理装置のヘッド部に粉末状の処理剤を確実に付着させることができるようにすることである。
【課題を解決するための手段】
【０００５】
請求項１に記載の発明の剤供給装置は、体毛処理装置に設けられた除毛を行うヘッド部に液体を供給する液体供給部と、除毛の際に用いられる粉末状の処理剤を前記ヘッド部に供給する剤供給部と、を備え、前記液体によって前記処理剤を前記ヘッド部に付着させる。
【０００６】
請求項２に記載の発明は、請求項１に記載の剤供給装置において、前記液体供給部によって前記液体が前記ヘッド部に供給された後、前記剤供給部を駆動する制御手段を備える。
【０００７】
請求項３に記載の発明は、請求項１に記載の剤供給装置において、前記処理剤と前記液体とからなる混合液を前記ヘッド部に供給する供給部を備え、この供給部が前記液体供給部及び前記剤供給部として機能する。
【０００８】
請求項４に記載の発明は、請求項３に記載の剤供給装置において、前記供給部は、前記混合液を貯蔵する貯蔵部とこの貯蔵部内の前記混合液を攪拌する攪拌部とを有し、前記攪拌部によって攪拌した前記混合液を前記ヘッド部に供給するように前記供給部を駆動する制御手段を備える。
【０００９】
請求項５に記載の発明は、請求項１に記載の剤供給装置において、前記ヘッド部を乾燥させる乾燥部を備え、前記液体供給部による前記ヘッド部への前記液体の供給と前記剤供給部による前記ヘッド部への前記処理剤の供給がされた後、前記乾燥部を駆動する制御手段を備える。
【００１０】
請求項６に記載の発明は、請求項１に記載の剤供給装置において、前記剤供給部は、前記ヘッド部が有する外刃に設けられたに凹凸部に前記処理剤を供給する。
【００１１】
請求項７に記載の発明は、請求項１に記載の剤供給装置において、前記ヘッド部は、刃部と剤付着専用部とを有し、前記剤供給部は、前記剤付着専用部に前記処理剤を供給する。
【００１２】
請求項８に記載の発明は、請求項１に記載の剤供給装置において、前記ヘッド部を冷却する冷却部を備え、前記液体供給部による前記ヘッド部への前記液体の供給と前記剤供給部による前記ヘッド部への前記処理剤の供給がされた後、前記冷却部を駆動する制御手段を備える。
【００１３】
請求項９に記載の発明は、請求項１に記載の剤供給装置において、前記剤供給部が前記処理剤を供給する際に、前記ヘッド部が該体毛処理装置の下端部となるように前記体毛処理装置を支持する支持部を備える。
【００１４】
請求項１０に記載の発明の剤供給装置は、液体を貯蔵し、体毛処理装置に設けられた除毛を行うヘッド部が前記液体へ接触することを許容する液体貯蔵部と、除毛の際に用いられる粉末状の処理剤を貯蔵し、前記ヘッド部が前記処理剤に接触することを許容する剤貯蔵部と、を備える。
【発明の効果】
【００１５】
請求項１ないし３に記載の発明によれば、液体によって粉末状の処理剤を体毛処理装置のヘッド部に付着させることにより、粉末状の処理剤を確実にヘッド部に付着させることができる。よって、ヘッド部から処理剤がこぼれたり、飛散することを抑制することができる。
【００１６】
請求項４に記載の発明によれば、攪拌部によって粉末状の処理剤を混合液中に満遍なく分散させることができるとともに、この攪拌された混合液をヘッド部に供給するので、より確実にヘッド部に処理剤を付着させることができると共に、処理剤をヘッド部にムラ無く均一に付着させることができる。
【００１７】
請求項５に記載の発明によれば、処理剤が供給された後のヘッド部が乾燥部によって乾燥されるので、ヘッド部を肌面に当てても、洗浄液や液体による濡れ感や冷たさ感を使用者に与えることがない。よって、濡れ感や冷たさ感を好まない使用者に対して不快感を与えることを抑制することができる。
【００１８】
請求項６に記載の発明によれば、ヘッド部の外刃に設けられた凹凸部に処理剤を供給することにより、処理剤をより確実にヘッド部に付着させることができる。
【００１９】
請求項７に記載の発明によれば、ヘッド部の剤付着専用部に処理剤を供給することにより、ヘッド部に付着させる処理剤の量を多くすることができ、ヘッド部から肌面により多くの処理剤を供給することができる。
【００２０】
請求項８に記載の発明によれば、ヘッド部への処理剤の供給がされた後、冷却部によってヘッド部が冷却されるので、ヘッド部を肌面に当てると、冷たさ感を使用者に与えることができる。よって、冷たさ感を好む使用者に対して心地良い使用感を提供することができる。
【００２１】
請求項９に記載の発明によれば、ヘッド部を体毛処理装置の下端部に位置させた状態で剤供給部によって処理剤が供給されるので、処理剤がヘッド部以外の体毛処理装置の他の部分に垂れ落ちることを抑制することができる。よって、体毛処理装置のヘッド部以外の他の部分（グリップ部）を把持した使用者の手に処理剤が付着して使用者に不快感を与えることを抑制することができる。
【００２２】
請求項１０に記載の発明によれば、液体貯蔵部の液体にヘッド部を接触させて、ヘッド部を濡らした後に、剤貯蔵部にヘッド部を接触させて処理剤をヘッド部に供給することができ、これにより、処理剤を液体によって確実にヘッド部に付着させることができる。
【発明を実施するための最良の形態】
【００２３】
［第１の実施形態］
本発明の第１の実施形態を図１ないし図１０に基づいて説明する。
【００２４】
図１は、本実施形態にかかる剤供給装置１を体毛処理装置２と共に示す斜視図である。図１に示すように、剤供給装置１は、体毛処理装置２を支持して、体毛処理装置２のヘッド部３に対して洗浄及び処理剤Ａの供給を行なうものである。
【００２５】
体毛処理装置２について説明する。図２は、体毛処理装置２を示す正面図、図３は、体毛処理装置２を示す底面図である。図２及び図３に示すように、体毛処理装置２は、体毛を切断によって除去するヘッド部３と、使用者が把持可能なグリップ部４とから構成された電気かみそりである。ヘッド部３は、ケース５とこのケース５に設けられた金属製の刃部６とから構成されている。刃部６は、固定刃である外刃６ａとこの外刃６ａの内側に配設された可動刃である内刃とを有しており、内刃が往復動することにより、外刃６ａと内刃とによって体毛を切断する構成となっている。グリップ部４には、図示しない制御部や充電式電池が内蔵されている。ここで、体毛処理装置２は、電気かみそりの他に、例えば、体毛を脱毛する脱毛装置であってもよい。
【００２６】
次に、剤供給装置１の各部を詳しく説明する。図４は、剤供給装置１を示す縦断側面図、図５は、体毛処理装置２を支持した状態の剤供給装置１を示す縦断側面図、図６は、洗浄時の剤供給装置１を示す断面側面図、図７は、剤供給時の剤供給装置１を示す縦断側面図、図８は、剤供給装置１の支持部１１を示し、（ａ）は、正面図、（ｂ）は、側面図である。
【００２７】
図４ないし図７に示すように、剤供給装置１は、体毛処理装置２を着脱自在に支持する支持部１１と、この支持部１１に支持された体毛処理装置２のヘッド部３を洗浄する洗浄部１２と、洗浄後のヘッド部３に粉末状の処理剤Ａを供給する剤供給部１３と、処理剤Ａが供給されたヘッド部３を乾燥させる乾燥部１４とを備えている。ここで、洗浄部１２は、ヘッド部３に液体を供給する液体洗浄部として機能する。また、この剤供給装置１は、洗浄部１２や剤供給部１３、乾燥部１４が設けられた筐体１５を備えている。ここで、粉末状の処理剤Ａは、体毛処理装置２による除毛の際に用いられるものであり、例えば、肌面の滑り性を向上させるものである。
【００２８】
洗浄部１２は、気密に形成され洗浄液Ｂを貯留するタンク１６と、タンク１６から供給される洗浄液Ｂを一時的に貯留する洗浄皿１７と、この洗浄皿１７から排出される洗浄液Ｂを濾過するフィルタ部１８と、このフィルタ部１８から排出される洗浄液Ｂをタンク１６に戻して洗浄液Ｂを洗浄部１２内で循環させるポンプ１９と、を備えている。
【００２９】
タンク１６には、タンク１６に貯留されている洗浄液Ｂを洗浄皿１７に吐出する吐出パイプ２０と、タンク１６に洗浄液Ｂを供給するための供給パイプ２１と、タンク１６の内圧を調整する弁装置２２とが設けられている。
【００３０】
吐出パイプ２０の吸入口２０ａは、タンク１６内の洗浄液Ｂ中に浸されている一方、吐出パイプ２０の吐出口２０ｂは、洗浄皿１７に洗浄液Ｂを供給可能にタンク１６の外部に配置されている。
【００３１】
供給パイプ２１は、ポンプ１９の吐出側とタンク１６内とを連通している。
【００３２】
弁装置２２は、電磁弁２３とこの電磁弁２３を介してタンク１６内外を連通する連通パイプ２４とから構成されている。
【００３３】
洗浄皿１７は、上面開口に形成されると共に、その底壁には、排出口１７ａが形成されている。
【００３４】
フィルタ部１８は、洗浄皿１７の下方に連設されている。フィルタ部１８は、フィルタケース２５内にフィルタ２６が設けられて構成されている。フィルタケース２５の上壁には、洗浄皿１７の排出口１７ａに連通した流入口２５ａが形成される一方、フィルタケース２５の側壁には、排出口２５ｂが設けられており、この排出口２５ｂが接続パイプ２７を介してポンプ１９に接続されている。
【００３５】
この洗浄部１２では、電磁弁２３が閉じられた状態で気密性が保たれたタンク１６内に、ポンプ１９から洗浄液Ｂや空気がタンク１６に供給されることにより、タンク１６の内圧が上昇し、タンク１６内の洗浄液Ｂが吐出パイプ２０から洗浄皿１７に吐出される。一方、電磁弁２３が開かれた状態で、ポンプ１９から洗浄液Ｂ又は空気がタンク１６に供給された場合には、タンク１６内の空気が、連通パイプ２４からタンク１６の外部へ排気される。この場合には、洗浄液Ｂが吐出パイプ２０から吐出されることがない。したがって、このときには、洗浄皿１７の洗浄液Ｂがタンク１６内に回収される。
【００３６】
剤供給部１３は、剤を貯蔵する剤容器２８と、この剤容器２８にパイプ２９を介して吸入側が連通されたポンプ３０と、このポンプ３０の吐出側にパイプ３１を介して連通された剤吐出口３２とから構成されている。これらの剤容器２８、ポンプ３０、吐出口２０ｂは、この順で下から上に配設されている。
【００３７】
剤容器２８は、その上壁に貫通孔２８ａが形成されており、この貫通孔２８ａがパイプ２９に接続されている。剤容器２８は、フィルタ部１８のフィルタケース２５と一体に形成されており、剤容器２８とフィルタ部１８とによって、カートリッジ３３が構成されている。このカートリッジ３３は、筐体１５に対して前方から着脱自在となっている。即ち、筐体１５には、カートリッジ３３を着脱自在に支持するカートリッジ支持部１５ａが設けられている。
【００３８】
剤吐出口３２は、後方斜め上方に向けて剤を吐出するものであり、後述するように支持部１１によってセット位置に位置付けられたヘッド部３に対向する位置に設けられている。
【００３９】
ポンプ３０は、例えば、歯車ポンプや、ダイヤフラムポンプ、ファン３５ポンプなどを例示することができる。
【００４０】
この剤供給部１３では、ポンプ３０が動作することにより、剤供給部１３に貯蔵されている粉末状の剤が剤吐出口３２からヘッド部３に向けて吐出され、これにより、ヘッド部３に剤が供給される。
【００４１】
乾燥部１４は、剤供給部１３の上方に配置されている。この乾燥部１４は、ファンケース３４と、このファンケース３４に内蔵されたファン３５と、ファンケース３４に内蔵されてファン３５を回動駆動するファンモータ３６（図９参照）と、ファンケース３４に内蔵された熱線（図示せず）とから構成されている。
【００４２】
ファンケース３４には、空気を吸い込む吸込口（図示せず）と、空気を送風する送風口３４ａとが設けられている。送風口３４ａは、後方斜め下方に向けて開口しており、後述するように支持部１１によってセット位置に位置付けられたヘッド部３に対向する位置に設けられている。
【００４３】
この乾燥部１４では、通電された熱線が発熱した状態で、ファンモータ３６によってファン３５が回動駆動されることにより、吸込口から吸いこんだ空気を熱線によって暖めて送風口３４ａからヘッド部３に送風する。
【００４４】
支持部１１は、タンク１６の上面に立設された固定部３８と、この固定部３８に軸３９を介して回動自在に設けられると共に体毛処理装置２を着脱自在に支持するアーム部４０とを有している。
【００４５】
アーム部４０は、体毛処理装置２を支持するものであり、体毛処理装置２の背面と底面とに沿った形状に形成されそれら背面と底面とを支持する支持壁４０ａが形成されている。図８に示すように、この支持壁４０ａには、体毛処理装置２の背面に形成された２つの嵌合凹部４ａ（図２参照）及び底面に形成された１つの嵌合凹部４ａ（図３参照）に取り外し可能に嵌合する嵌合凸部４０ｂが立設されている。
【００４６】
このアーム部４０は、支持した体毛処理装置２のヘッド部３を供給位置（図５）と洗浄位置（図６）とに選択的に移動可能に回動自在とされており、モータ４１（図９参照）によって回動駆動される。供給位置は、ヘッド部３が剤供給部１３の剤吐出口３２及び乾燥部１４の送風口３４ａに対向し、剤供給部１３による処理剤Ａの供給を受けることと、乾燥部１４による送風を受けることとが可能な位置である。洗浄位置は、ヘッド部３が洗浄部１２の洗浄皿１７中に位置し洗浄部１２による洗浄を受けることが可能な位置である。これら供給位置及び洗浄位置では、ヘッド部３が体毛処理装置２の下端部となる。即ち、ヘッド部３の外面が下向きとなる。
【００４７】
また、体毛処理装置２の底面に設けられた嵌合凹部４ａと、この嵌合凹部４ａに対応する支持部１１の嵌合凸部４０ｂには、それぞれ接続端子（図示せず）が設けられている。そして、アーム部４０に体毛処理装置２が固定されることにより、それら接続端子同士が接続され、これにより、例えば商用電源に接続された剤供給装置１から体毛処理装置２へ電気が供給されて、体毛処理装置２が充電されるようになっている。
【００４８】
図９は、剤供給装置１の電気系を示すブロック図である。図９に示すように、剤供給装置１は、各部を駆動制御する制御部４２を備えている。この制御部４２は、電子回路によって構成されている。そして、制御部４２には、ポンプ１９，３０、電磁弁２３、ファンモータ３６、モータ４１、メインスイッチ４３、電源回路（図示せず）などが接続されており、これにより、制御部４２による剤供給装置１の各部の駆動制御が可能となっている。ここで、メインスイッチ４３は、洗浄部１２のタンク１６の上面に配設されている（図４参照）。
【００４９】
次に、制御部４２が行う処理を剤供給装置１の各部の動作と共に説明する。図１０は、剤供給装置１の剤供給処理の流れを示すフローチャートである。
【００５０】
図１０に示すように、メインスイッチ４３がＯＮ操作された場合には、ヘッド部３の洗浄を行なう（ステップＳ１）。具体的には、モータ４１を駆動して、体毛処理装置２を支持したアーム部４０をセット位置から洗浄位置に回動する（図６）。次に、ポンプ１９を駆動して、タンク１６内の洗浄液Ｂを洗浄皿１７に供給して、ヘッド部３を洗浄液Ｂ中に浸す。これにより、洗浄部１２によりヘッド部３に洗浄液Ｂが供給されることとなる。このとき、洗浄液Ｂは、洗浄皿１７の排出口１７ａから微量ずつフィルタケース２５内に排出され、フィルタ２６によって濾過される。濾過された洗浄液Ｂは、ポンプ１９によって再びタンク１６に戻される。そして、タンク１６に戻された洗浄液Ｂの量と同じ量の洗浄液Ｂがタンク１６の吐出パイプ２０から洗浄皿１７に供給される。このとき、ポンプ１９は、洗浄皿１７から洗浄液Ｂが溢れないように駆動制御される。このようにして、洗浄液Ｂが、ポンプ１９によって洗浄部１２中を循環される。そして、ヘッド部３が洗浄皿１７の洗浄液Ｂに浸った状態を規定時間維持することにより、体毛処理装置２のヘッド部３に付着している髭屑や皮脂などがヘッド部３から取り除かれ、ヘッド部３が洗浄される。このとき、例えば、体毛処理装置２の刃部６の内刃を駆動してヘッド部３を振動させることにより、洗浄効果をより上げることができる。また、このとき、洗浄液Ｂ中の髭屑や皮脂などは、フィルタ２６によって除去されるので、きれいな洗浄液Ｂによってヘッド部３を確実に洗浄することができる。
【００５１】
次に、このような洗浄動作を行なった後、ポンプ１９を駆動した状態で、電磁弁２３を開弁させて、洗浄皿１７の洗浄液Ｂを全てタンク１６へ戻し、洗浄皿１７を空にすると共に、モータ４１を駆動して、体毛処理装置２を支持したアーム部４０をセット位置から洗浄位置に回動する（図５）。
【００５２】
次に、体毛処理装置２のヘッド部３に剤を供給する（ステップＳ２）。具体的には、ポンプ３０を駆動して、剤容器２８に貯蔵されている処理剤Ａを剤吐出口３２からヘッド部３に向けて吐出して、ヘッド部３に供給する（図７）。このとき、ヘッド部３は、洗浄液Ｂが付着した状態となっている。即ち、本実施形態では、洗浄液Ｂで濡れた状態のヘッド部３に処理剤Ａを供給している。これにより、処理剤Ａが洗浄液Ｂによってヘッド部３に付着する。ここに、洗浄部１２によって洗浄液Ｂがヘッド部３に供給された後、剤供給部１３を駆動する制御手段の機能が実行される。
【００５３】
次に、乾燥部１４のファンモータ３６を駆動して送風口３４ａから温風をヘッド部３に吹き付けて、ヘッド部３の余分な水分（洗浄液Ｂ）を蒸発させて、ヘッド部３を乾燥させる（ステップＳ３）。これにより、粉末状の処理剤Ａのみがヘッド部３に強固に付着して残る。ここに、洗浄部１２によるヘッド部３への洗浄液の供給と剤供給部１３によるヘッド部３への処理剤Ａの供給がされた後、乾燥部１４を駆動する制御手段の機能が実行される。
【００５４】
また、この処理中には、剤供給装置１の接続端子から体毛処理装置２の接続端子へ電気が供給されて、体毛処理装置２が充電される。
【００５５】
そして、このように処理剤Ａが供給された体毛処理装置２によってシェービング動作を行なう際には、使用者は、体毛処理装置２を支持部１１から取り外して、ヘッド部３を肌面に当ててシェービング動作を行なうこととなる。このシェービング動作により、ヘッド部３に付着した処理剤Ａが肌面に供給されるので、肌面に粉末状の処理剤Ａを塗布しながらのシェービングが可能となり、これにより、肌滑り効果や肌荒れ抑制効果が発揮され、心地良いシェービング感を得ることができる。
【００５６】
以上説明したように、本実施形態によれば、洗浄液Ｂによって粉末状の処理剤Ａを体毛処理装置２のヘッド部３に付着させることにより、粉末状の処理剤Ａを確実にヘッド部３に付着させることができる。よって、ヘッド部３から処理剤がこぼれたり、飛散することを抑制することができる。よって、体毛処理装置２の使い勝手が良くなる。また、このように処理剤Ａを確実にヘッド部３に付着させることができるので、その処理剤Ａを少しずつ肌面に塗布することができる。
【００５７】
また、洗浄部１２によるヘッド部３の洗浄が終了した後に、剤供給部１３が駆動されることにより、残留していた毛くずなどのゴミが取り除かれた状態の清潔なヘッド部３に処理剤Ａが供給されるので、ヘッド部３に残留していた毛くずなどのゴミが肌面に付着することがない。よって、除毛処理において、ヘッド部３に残留していた毛くずなどのゴミが肌面に付着することにより使用者へ不快感を与えることを抑制することができる。
【００５８】
また、本実施形態によれば、処理剤Ａが供給された後のヘッド部３が乾燥部１４によって乾燥されるので、ヘッド部３を肌面に当てても、洗浄液Ｂによる濡れ感や冷たさ感を使用者に与えることがない。よって、濡れ感や冷たさ感を好まない使用者に対して不快感を与えることを抑制することができる。
【００５９】
また、本実施形態によれば、フィルタ部１８と剤容器２８とが、カートリッジ３３を構成していることにより、フィルタ部１８と剤容器２８とを一つの交換作業で同時に交換することができるので、交換作業の手間を低減することができる。また、フィルタ部１８と剤容器２８とが、独立している場合に比べて安価な構成とすることができる。
【００６０】
また、本実施形態によれば、支持部１１に支持された体毛処理装置２の下端部に位置するヘッド部３に処理剤Ａを供給するので、処理剤Ａがヘッド部３以外の体毛処理装置２の他の部分（グリップ部４）に垂れ落ちることを抑制することができる。よって、体毛処理装置の２ヘッド部３以外の他の部分（グリップ部４）を把持した使用者の手に処理剤Ａが付着して使用者に不快感を与えることを抑制することができる。
【００６１】
また、支持部１１に支持された体毛処理装置２の下端部に位置するヘッド部３に処理剤Ａを供給するので、ヘッド部３の内部に処理剤Ａが入り込むことを抑制することができる。
【００６２】
また、本実施形態では、剤供給装置１から体毛処理装置２に処理剤Ａが供給されることにより、体毛処理装置２には、処理剤Ａを格納する構造及びヘッド部３に処理剤Ａを供給する構造を設ける必要がないので、その分、体毛処理装置２を小型化することができる。
【００６３】
また、本実施形態では、剤吐出口３２からヘッド部３への処理剤Ａの供給がヘッド部３の刃部６になされるので、刃部６は直接肌面に接触する部位であることから、肌面に処理剤Ａをより容易に塗布することができる。
【００６４】
また、体毛処理装置２を支持部１１に固定した状態において、体毛処理装置２の底面に設けられた接続端子と、支持部１１に設けられた接続端子とが接続され、それらの接続端子を介して剤供給装置１から体毛処理装置２へ電気が供給されて、体毛処理装置２が充電されるので、洗浄及び剤供給後の体毛処理装置２が充電されているので、シェービング時の電池切れを抑制でき、使い勝手が良い。
【００６５】
［第２の実施形態］
次に、本発明の第２の実施形態を図１１に基づいて説明する。前述した実施形態と同じ部分は、同一符号で示し説明も省略する（以降の実施形態についても同様）。図１１は、本実施形態にかかる剤供給装置１Ａを体毛処理装置２と共に示す縦断側面図である。
【００６６】
本実施形態では、第１の実施形態で説明した剤供給部１３が、供給部１３Ａとされており、この供給部１３Ａは、粉末状の処理剤Ａと水などの液体Ｃとからなる混合液Ｄをヘッド部３に供給するものであり、液体供給部及び剤供給部として機能する。具体的には、混合液Ｄが貯蔵部としての剤容器２８Ａに貯蔵されている。
【００６７】
また、供給部１３Ａには、攪拌部５１が設けられている。攪拌部５１は、剤容器２８Ａ内に回動自在に設けられた攪拌材５２と、この攪拌材５２を回動駆動するモータ５３とを有している。攪拌部５１は、攪拌材５２をモータ５３によって回動させることで、供給部１３Ａ内の混合液Ｄを攪拌するようになっている。この攪拌部５１は、供給部１３Ａから処理剤Ａがヘッド部３に供給される前及び供給中に攪拌を行なうように駆動される。よって、攪拌部５１によって攪拌した混合液Ｄがヘッド部３に供給される。ここに、攪拌部５１によって攪拌した混合液Ｄをヘッド部３に供給するように供給部１３Ａを駆動する制御手段の機能が実行される。
【００６８】
このような構成によれば、粉末状の処理剤Ａが液体Ｃとともに供給部１３Ａからヘッド部３に供給されるので、ヘッド部３に接触した処理剤Ａが、より確実にヘッド部３に付着し、処理剤Ａがヘッド部３からこぼれたりヘッド部３に当たって飛び散ったりすることをより確実に防止することができる。
【００６９】
また、本実施形態では、攪拌部５１によって粉末状の処理剤Ａを混合液Ｄ中に満遍なく分散させることができる。例えば、肌滑りをより向上させる粒子径の大きな処理剤Ａは沈殿し易いが、このような処理剤Ａであっても、攪拌材５２の回転によって、満遍なく分散させることができる。そして、この攪拌された混合液Ｄをヘッド部３に供給するので、より確実にヘッド部３に処理剤Ａを付着させることができると共に、処理剤Ａをヘッド部３にムラ無く均一に付着させることができる。
【００７０】
［第３の実施形態］
次に、本発明の第３の実施形態を図１２ないし図１４に基づいて説明する。図１２は、本実施形態にかかる体毛処理装置２Ｂのヘッド部３Ｂを示す縦断側面図、図１３は、体毛処理装置２Ｂの外刃６Ｂａを示す縦断側面図、図１４は、処理剤Ａが供給された状態の体毛処理装置２Ｂの外刃６Ｂａを示す縦断側面図である。本実施形態は、上述した各実施形態に適用することができるが、ここでは、第１の実施形態へ適用されている。
【００７１】
本実施形態では、体毛処理装置２Ｂのヘッド部３Ｂの外刃６Ｂａに凹凸部である微小な上面開口の凹部６１が設けられている。詳しくは、ヘッド部３Ｂには、ネット状の外刃６Ｂａとこれらのネット状の外刃６Ｂａ間に配置されたスリット状の外刃６Ｂａが設けられており、このスリット状の外刃６Ｂａに凹部６１が設けられている。そして、本実施形態では、この凹部６１に剤供給部１３から処理剤Ａを供給して付着させるようになっている。
【００７２】
このような構成によれば、体毛処理装置２Ｂのヘッド部３Ｂの外刃６Ｂａに形成された凹部６１に剤供給部１３から処理剤Ａを供給して付着させることにより、ヘッド部３Ｂにさらに確実に処理剤Ａを付着させることがでる。よって、ヘッド部３Ｂから処理剤Ａがこぼれたり飛散することをさらに確実に防止することができ、る。また、凹部６１に処理剤Ａが供給されることにより、体毛処理装置２Ｂによるシェービング時には、肌面に少量ずつ処理剤Ａを塗布することができる。
【００７３】
なお、凹凸部は、凹部６１、凸部、それら凹部６１と凸部との組み合わせ、のうちの何れであってもよい。
【００７４】
［第４の実施形態］
次に、本発明の第４の実施形態を図１５に基づいて説明する。図１５は、本実施形態にかかる剤供給装置１Ｃを体毛処理装置２と共に示す縦断側面図である。本実施形態は、上述した各実施形態に適用可能であるが、図面には、第２の実施形態への適用例が示されている。
【００７５】
本実施形態では、洗浄部１２が設けられていない。これに伴い、支持部１１Ｃも体毛処理装置２に対する回動支持機能を有しておらず、体毛処理装置２をセット位置にのみ位置決めする構造となっている。そして、支持部１１Ｃと剤供給部１３とは、筐体１５Ｃの連結部１５Ｃａによって直接連結されている。
【００７６】
このような構成によれば、洗浄部１２が設けられていないことにより、剤供給装置１Ｃの構造を簡素することができる。
【００７７】
［第５の実施形態］
次に、本発明の第５の実施形態を図１６に基づいて説明する。図１６は、本発明の第５の実施形態の剤供給装置１Ｄを体毛処理装置２と共に示す縦断側面図である。本実施形態は、上述した各実施形態に適用可能であるが、図面には、第１の実施形態への適用例が示されている。
【００７８】
本実施形態では、剤供給部１３の剤吐出口３２と乾燥部１４との間に、ペルチェ素子７１が設けられている。そして、乾燥部１４からの送風の一部がペルチェ素子７１上を通過して体毛処理装置２のヘッド部３に至るようにペルチェ素子７１が筐体１５に配設されている。このペルチェ素子７１は、ファン３５及びファンモータ３６と共に冷却部７２を構成している。
【００７９】
そして、本実施形態では、ヘッド部３に対する洗浄、剤付着、乾燥の一連の処理が終了した後、ペルチェ素子７１を駆動すると共に、熱線への通電を遮断した状態で、ファンモータ３６によってファン３５を回動駆動させる。これにより、ヘッド部３に送る空気がペルチェ素子７１によって冷却され、冷風がヘッド部３に送られてヘッド部３が冷却される。ここに、洗浄部１２によるヘッド部３への洗浄液Ｂの供給と剤供給部１３によるヘッド部３への処理剤Ａの供給がされた後、冷却部７２を駆動する制御手段の機能が実行される。
【００８０】
このような構成によれば、ヘッド部３への処理剤Ａの供給がされた後、冷却部７２によってヘッド部３が冷却されるので、ヘッド部３を肌面に当てると、冷たさ感を使用者に与えることができる。よって、冷たさ感を好む使用者に対して心地良い使用感を提供することができる。
【００８１】
［第６の実施形態］
次に、本発明の第６の実施形態を図１７に基づいて説明する。図１７は、本実施形態にかかる剤供給装置１Ｅを体毛処理装置２と共に示す縦断側面図である。本実施形態は、上述した各実施形態に適用可能であるが、図面には、第１の実施形態への適用例が示されている。
【００８２】
本実施形態では、剤供給部１３Ｅにおいて、ポンプ１９による剤供給構造に代えて、円弧状部材８１による剤供給構造が採用されている。
【００８３】
円弧状部材８１は、軟質材料により構成されており、柔軟性を有している。この円弧状部材８１は、下端部が剤容器２８内の剤に当接し、上端部がセット位置に位置するヘッド部３に当接可能な位置で支軸８２を介して筐体１５に回動自在の設けられており、モータ８３によって回動駆動される。
【００８４】
このような構成において、剤容器２８内で円弧状部材８１の表面に付着した処理剤Ａが、円弧状部材８１がモータ８３によって回動駆動されることにより、ヘッド部３側に移動され、ヘッド部３に付着する。これにより、本実施形態においても、粉末状の処理剤Ａをヘッド部３に確実に付着させることができる。
【００８５】
［第７の実施形態］
次に、本発明の第７の実施形態を図１８ないし図２０に基づいて説明する。図１８は、本実施形態にかかる体毛処理装置２Ｆのヘッド部３Ｆを示す斜視図、図１９は、体毛処理装置２Ｆのヘッド部３Ｆを示す縦断側面図、図２０は、処理剤Ａが供給された状態の体毛処理装置２Ｆの剤付着専用部９１を示す縦断側面図である。
【００８６】
本実施形態では、体毛処理装置２Ｆのヘッド部３Ｆに、処理剤Ａが供給される剤付着専用部９１が刃部６とは別に設けられている。この剤付着専用部９１は、ヘッド部３Ｆの外刃６ａの外側に外刃６ａに対して並列配置で、ケース５Ｆに一体に設けられている。剤付着専用部９１の上部には、左右方向に延在した上面開口の溝部９１ａが設けられている。そして、本実施形態では、この剤付着専用部９１の溝部９１ａに剤供給部１３から処理剤Ａを供給して付着させるようになっている。
【００８７】
このような構成によれば、ヘッド部３の剤付着専用部９１に処理剤Ａを供給することにより、ヘッド部３に付着させる処理剤Ａの量を多くすることができ、ヘッド部３から肌面により多くの処理剤を供給することができる。これにより、肌面へより多くの処理剤Ａを塗布することができ、肌面の滑り性をさらに向上させることができる。また、溝部９１ａに処理剤Ａが供給されることにより、体毛処理装置２Ｆによるシェービング時には、肌面に少量ずつ剤を塗布することができる。
【００８８】
なお、ブラシ（図示せず）をその毛先が上方を向くように溝部９１ａの内部に設けたり、左右方向軸回りに回転するローラ（図示せず）を溝部９１ａ内に設けてもよい。これにより、溝部９１ａ内の剤をより確実に肌面に塗布することができる。また、ローラを設ける場合には、複数のローラを左右方向に配設することにより、肌面に対してより確実に剤を供給することができる。
【００８９】
［第８の実施形態］
次に、本発明の第８の実施形態を図２１に基づいて説明する。図２１は、本実施形態にかかる剤供給装置１Ｇを示す縦断側面図である。
【００９０】
本実施形態の剤供給装置１Ｇの筐体１５Ｇには、上面に開口１０１ａが形成され液体Ｃを貯留する液体貯蔵部１０１と、上面に開口１０２ａが形成され粉末状の処理剤Ａを貯蔵する剤貯蔵部１０２と、ヘッド部３を乾燥させる乾燥部１４Ｇとが、この順に横方向に並べて配設されている。
【００９１】
液体貯蔵部１０１の上部には、例えばスポンジなどの発泡体１０３が設けられており、この発泡体１０３は、液体Ｃを含んでいる。この液体貯蔵部１０１は、貯蔵している液体Ｃにヘッド部３が接触することを開口１０１ａによって許容している。
【００９２】
剤貯蔵部１０２は、貯蔵していいる処理剤Ａにヘッド部３が接触することを開口１０２ａによって許容している。
【００９３】
乾燥部１４Ｇは、筐体１５に形成され、上面に開口１０４ａが形成された凹部１０４内に、凹部１０４の上方へ送風するファン３５Ｇと、このファン３５Ｇを回動駆動するファンモータ３６Ｇと、このファンモータ３６Ｇの電源１０５が設けられて構成されている。
【００９４】
このような構成の剤供給装置１Ｇでのヘッド部３への処理剤Ａの付着作業手順を説明する。使用者は、ヘッド部３を体毛処理装置２の下端部に位置させた状態で、そのヘッド部３を液体貯蔵部１０１の液体Ｃに接触させて、ヘッド部３を濡らした後に、剤貯蔵部１０２の処理剤Ａにヘッド部３を接触させる。これにより、処理剤Ａを液体Ｃによってヘッド部３に確実に付着させることができる。
【００９５】
次に、使用者は、図示しないスイッチをＯＮ操作する。これにより、ファンモータ３６Ｇによってファン３５Ｇが回動駆動される。そして、凹部１０４の開口１０４ａにヘッド部３を挿入する。これにより、風がヘッド部３に当たりヘッド部３が乾燥する。
【００９６】
この作業のときには、ヘッド部３が体毛処理装置２の下端部に位置した状態となるので、処理剤Ａがヘッド部３以外の体毛処理装置２の他の部分（グリップ部４）に垂れ落ちることを抑制することができる。よって、体毛処理装置２のヘッド部３以外の他の部分（グリップ部４）を把持する使用者の手に処理剤Ａが付着して使用者に不快感を与えることを抑制することができる。
【００９７】
また、本実施形態の剤供給装置１Ｇは、ヘッド部３へ処理剤Ａを供給するために駆動源を用いる必要がないので、第１の実施形態に比べて、簡素な構成とすることができるので、装置を小型化、安価にすることができる。このように剤供給装置１Ｇは、簡素な構成となるので、その廃棄処分を容易に行なうことがきる。
【００９８】
なお、本発明は、本実施形態に限ることなく本発明の要旨を逸脱しない範囲で他の実施形態を各種採用することができる。
【００９９】
例えば、上記実施形態の中には、処理剤を供給するのにポンプ１９を用いた例を示したが、例えば、ポンプ１９を設けずに、体毛処理装置２のヘッド部３を剤容器２８内の剤に当接させても良い。この場合には、剤容器２８の上面を開口すると共に、ヘッド部３が剤容器２８内に移動するような機構を設ければ良い。
【０１００】
また、剤と液体Ｃとを別々の貯蔵部に貯蔵して、液を霧化してヘッド部３に吐出させてもよい。
【図面の簡単な説明】
【０１０１】
【図１】本発明の第１の実施形態にかかる剤供給装置を体毛処理装置と共に示す斜視図である。
【図２】体毛処理装置を示す正面図である。
【図３】体毛処理装置を示す底面図である。
【図４】剤供給装置を示す縦断側面図である。
【図５】体毛処理装置を支持した状態の剤供給装置を示す縦断側面図である。
【図６】洗浄時の剤供給装置を示す断面側面図である。
【図７】剤供給時の剤供給装置を示す縦断側面図である。
【図８】剤供給装置の支持部を示し、（ａ）は、正面図、（ｂ）は、側面図である。
【図９】剤供給装置の電気系を示すブロック図である。
【図１０】剤供給装置の剤供給処理の流れを示すフローチャートである。
【図１１】本発明の第２の実施形態にかかる剤供給装置を体毛処理装置と共に示す縦断側面図である。
【図１２】本発明の第３の実施形態にかかる体毛処理装置のヘッドを示す縦断側面図である。
【図１３】体毛処理装置の外刃を示す縦断側面図である。
【図１４】処理剤が供給された状態の体毛処理装置の外刃を示す縦断側面図である。
【図１５】本発明の第４の実施形態にかかる剤供給装置を体毛処理装置と共に示す縦断側面図である。
【図１６】本発明の第５の実施形態の剤供給装置を体毛処理装置と共に示す縦断側面図である。
【図１７】本発明の第６の実施形態にかかる剤供給装置を体毛処理装置と共に示す縦断側面図である。
【図１８】本発明の第７の実施形態にかかる体毛処理装置のヘッド部を示す斜視図である。
【図１９】体毛処理装置のヘッド部を示す縦断側面図である。
【図２０】処理剤が供給された状態の体毛処理装置の剤付着専用部を示す縦断側面図である。
【図２１】本発明の第８の実施形態にかかる剤供給装置を示す縦断側面図である。
【符号の説明】
【０１０２】
１      剤供給装置
１Ａ    剤供給装置
１Ｃ    剤供給装置
１Ｄ    剤供給装置
１Ｅ    剤供給装置
１Ｇ    剤供給装置
２      体毛処理装置
２Ｂ    体毛処理装置
２Ｆ    体毛処理装置
３      ヘッド部
３Ｂ    ヘッド部
３Ｆ    ヘッド部
６      刃部
１１    支持部
１２    洗浄部（液体供給部）
１３    剤供給部
１３Ａ  供給部（液体供給部、剤供給部）
１３Ｅ  剤供給部
１４    乾燥部
２８Ａ  剤容器（貯蔵部）
５１    攪拌部
６１    凹部（凹凸部）
７２    冷却部
９１    剤付着専用部
１０１  液体貯蔵部
１０２  剤貯蔵部
Ａ      処理剤
Ｂ      洗浄液（液体）
Ｃ      液体
Ｄ      混合液
【図１】
2007089694.tif 000003
【図２】
2007089694.tif 000004
【図３】
2007089694.tif 000005
【図４】
2007089694.tif 000006
【図５】
2007089694.tif 000007
【図６】
2007089694.tif 000008
【図７】
2007089694.tif 000009
【図８】
2007089694.tif 000010
【図９】
2007089694.tif 000011
【図１０】
2007089694.tif 000012
【図１１】
2007089694.tif 000013
【図１２】
2007089694.tif 000014
【図１３】
2007089694.tif 000015
【図１４】
2007089694.tif 000016
【図１５】
2007089694.tif 000017
【図１６】
2007089694.tif 000018
【図１７】
2007089694.tif 000019
【図１８】
2007089694.tif 000020
【図１９】
2007089694.tif 000021
【図２０】
2007089694.tif 000022
【図２１】
2007089694.tif 000023